(57)【要約】      （修正有）【課題】容疑者の手首に隙間なく具合良く嵌まるために、手首を傷めることはなく、且つ、リングから手首を抜かれる危険もない手錠を提供する。【解決手段】ロック装置が内装される持手２に固定湾形部１を一体に設け、固定湾形部の先端に可動湾曲部材を回動可能にピン５で連結し、固定湾形部と可動湾曲部材とにより手錠リングが多段の形状に形成されるように、可動湾曲部材は先端部の外周にロック装置により逆転不能に多段停止するための受穴を等間隔おきに設けて手錠Ｈを構成する。さらに、多段停止のうちの真円に近い楕円形の手錠リング１０の形状を基準にして、楕円の短径がやゝ狭くなるように、固定湾形部１と可動湾曲部材とに内側に沿って長い張出部１３，１４，１５を突設するとともに、それぞれ長手方向両側になだらかに低くなるよう一体形成した。【選択図】図１
0003167508.tif 000002
【実用新案登録請求の範囲】
【請求項１】
ロック装置が内装される持手に固定湾形部を一体に設け、固定湾形部の先端に可動湾曲部材を回動可能にピン連結し、固定湾形部と可動湾曲部材とにより手錠リングが多段の形状に形成されるように、可動湾曲部材は先端部の外周にロック装置により逆転不能に多段停止するための受穴を等間隔おきに設けてある手錠において、多段停止のうちの真円に近い楕円形の手錠リングの形状を基準にして、楕円の短径がやゝ狭くなるように、固定湾形部と可動湾曲部材とに内側に沿って長い張出部を突設するとともに、それぞれ長手方向両側になだらかに低くなるよう一体形成したことを特徴とする手錠。
【請求項２】
張出部がリングの持手側の内面と、その反対のピン連結側の内面とであって、持手側の内面の張出部を比較的多く突出する厚み形状とし、ピン連結側の張出部を薄く突出する厚み形状としたことを特徴とする請求項１記載の手錠。
【考案の詳細な説明】
【技術分野】
【０００１】
この考案は、容疑者や受刑者等（以下容疑者という）が逃亡しないようその腕に掛ける手錠に関する。
【背景技術】
【０００２】
手錠は、逃亡の防止に万全を図るために警察官の腕に嵌めるものと連結され、一般的に同じ形状のものが鎖で連結される一対の使用形態となっており、いずれも持手５２に円弧形の固定湾形部５１を一体に有する基部体と、それと対で手錠リングを構成する円弧形の可動湾曲部材５３とからなり、可動湾曲部材が固定湾形部の先端に回転可能にピン連結され、同一方向の回転により固定湾形部と可動湾曲部材とでリングの閉と開とが繰り返され、逆回転が不能な構造になっている。
【０００３】
容疑者を現場で逮捕するときには、開の状態で固定湾形部５１の内側を腕に叩くように当てるとそのときの衝撃で可動湾曲部材５３が閉じ、腕の大きさに合った状態のリングに形状が停止する。しかし、一旦可動湾曲部材が閉じると決して緩むことがないので、容疑者の腕にきつく当たり痛みが発生することがある。この痛みを和らげるために、従来、固定湾形部及び可動湾曲部材の内周側にゴムの保護層や保護材を設けた提案がなされる（特許文献１）
【先行技術文献】
【特許文献】
【０００４】
【特許文献１】特開２００２−１３８７３３号公報
【考案の概要】
【考案が解決しようとする課題】
【０００５】
上記のような従来の手錠Ｋであると、普通には真円に近い楕円形の標準のリング形状となって（図５）、その状態で容疑者の腕に嵌まることが多いが、人間の腕は特に痩せ型や女性であると、真円に近いということはなく楕円形で平形に進んだ形状であり、手のひら部分も細く変形しやすいので、容疑者が手首を回しやり繰りしながらリングから抜かして逃走するおそれがあった。
【０００６】
また、ゴムによる保護層や保護材を設けた場合には、容疑者がそれを削り取って、リングを大きく拡げて逃れる危険があり実用的ではなかった。
【０００７】
この考案は、上記のような実情に鑑みて、容疑者の手首に隙間なく具合良く嵌まるために、手首を傷めることはなく、且つ、リングから手首を抜かれる危険もない手錠を提供することを課題とした。
【課題を解決するための手段】
【０００８】
上記の課題を解決するために、この考案は、ロック装置が内装される持手に固定湾形部を一体に設け、固定湾形部の先端に可動湾曲部材を回動可能にピン連結し、固定湾形部と可動湾曲部材とにより手錠リングが多段の形状に形成されるように、可動湾曲部材は先端部の外周にロック装置により逆転不能に多段停止するための受穴を等間隔おきに設けてある手錠において、多段停止のうちの真円に近い楕円形の手錠リングの形状を基準にして、楕円の短径がやゝ狭くなるように、固定湾形部と可動湾曲部材とに内側に沿って長い張出部を突設するとともに、それぞれ長手方向両側になだらかに低くなるよう一体形成したことを特徴とする手錠を提供するものである。
【０００９】
手錠を上記のように構成したから、金属やプラスチック等で主な部材を成形して組み立てるもので、リングが段階的に大小に変形するが、標準形においては、その楕円の短径が張出部により狭くなっているので、リングに対して手首を回転しようとしても回転が阻止されることから、容疑者が抜けるように手首を回しながらやり繰りすることができなく、また、張出部があるために、容疑者逮捕の際に手首に掛けても張出部が支えることから、窮屈にリングが狭まる不都合が防止される。
【考案の効果】
【００１０】
以上説明したように、この発明の手錠によれば、張出部の存在で標準形でのリングの楕円短径が狭いため、窮屈に締めることなく手首に嵌まり、その状態が安全に保持され、また、一体成形されている張出部が削り取られるようなこともないため、容疑者を逃すことなく安全に、且つ手首を傷めることなく人道的に護送できるという優れた効果がある。
【図面の簡単な説明】
【００１１】
【図１】この考案に係る手錠の「閉」の平面図であって張出部をハッチングで区別して示す説明図である。
【図２】同手錠の「開」の平面図であって張出部をハッチングで区別して示す説明図である。
【図３】図１のＡ−Ａ線矢視の拡大断面図である。
【図４】図１のＢ−Ｂ線矢視の拡大断面図である。
【図５】この考案の手錠Ｈを従来の手錠Ｋと対において示す閉の平面図であって、塗りつぶし部分を張出部として示す説明図である。
【図６】この考案の手錠Ｈを従来の手錠Ｋと対において示す開の平面図であって、塗りつぶし部分を張出部として示す説明図である。
【考案を実施するための形態】
【００１２】
この考案は、手錠Ｈにリングの真円に近い楕円形に対してその短径Ｄがやゝ短い楕円になるように張出部１３，１４，１５を一体に形成することにより、手錠が掛けられる手首にフイットして嵌まり、抜けの防止と、痛みの発生の防止とが図られる。
【実施例１】
【００１３】
一般の手錠におけると同じく一対の使用形態であるが、一方がこの発明の手錠Ｈであり、他方が従来形の手錠Ｋであって、両方が鎖６で連結され、従来側の手錠Ｋが警察官側において使用される。
【００１４】
手錠Ｈは、持手２付き基部湾体１と、その先端にピン５で連結される可動湾曲部材３とから手錠リング１０が形成されるもので、持手２にロック装置（図示を省略する）が内装されており、可動湾曲部材３がピン５を中心に閉の回転方向Ｐへ自由に（何回でも）回動し、閉の状態（図１）と開の状態（図２）とに変化するが、閉じの状態では、多段階ロック装置の逆止め機能により多数の段階に一旦停止する。
【００１５】
一旦停止は、逆転（逆Ｐ方向）のみ回動不能な半ロック状態であって、一時停止があっても、キーロックしないかぎり、一定以上の力を加えることにより正方向Ｐへ回転が可能であるので、犯人を捕らえたときに手首に上から叩き掛けると、腕との関係で適当な箇所で一時停止でロック状態となる。そのときの一つの基準となるのが、一般的に使用状態となる真円に近い楕円形である（図１および図５参照）。しかし、腕の大きさや掛けたときの衝撃力の強弱等から基準の形から外れることもある。なお、基準から外れたリング形状であってもこの考案が活きることになる。
【００１６】
基部湾体１は、上下一対の構造板材７，７からなり、構造板材７，７は、持手２の部分と基部湾体１の部分とが一体にプレス加工される。両方の間の間隔は、ピン５による可動湾曲部材３の挟み止めや、持手２の外側の周壁９等によって保持され、その間において持手２の内部では図示しないロック装置が組み込まれる。さらに、持手２の部分では両板材７，７の内側に可動湾曲部材３の案内突起８，８が外側からのプレス加工により形成される。
【００１７】
持手２のリング相当の内側部分には、可動湾曲部材３の通し１１が開口している。この通し１１の部分において上下構造板材７，７に張出部１３，１３が突出して形成され、それが最大厚Ｌから固定湾形部１方向と隅角部方向へと徐々に限りなく薄く形成される。また、固定湾形部１の先端内側にも張出部１４，１４を設け、これも両側最大厚Ｍから両側へ低く形成される。なお、固定湾形部１にも隣接して同じような厚みで張出部１４が形成される。
【００１８】
可動湾曲部材３は、ほゞ馬蹄形であるが、基部湾体１に通す先半部がやゝ長めで且つ幅広く形成され、その部分の内側に張出部１５を設け、これも厚みＮが両端に低くなるように形成される。また、同じ部分の幅中央部に沿って案内溝１７，１７が形成され、これが案内突起８，８と係合している。さらに、同じ部分の外側に多数の受穴１９，１９，・・が設けられる。これはロック装置の図示しない一方向回転歯車と係合するもので、これにより一定の間隔で可動湾曲部材３が一時停止する。
【００１９】
この一時停止は張出部１３，１４，１４が手首に触れることによりなされるため、無理のない適度な形状のリングが構成される結果、容疑者の手首を過剰に締め付けることがなくなり、また、抜こうともがいても外れることがなくなった。
【符号の説明】
【００２０】
Ｈ  この考案の手錠
１  固定湾形部
２  持手
３  可動湾曲部材
５  ピン
１０  手錠リング
１３，１４，１５  張出部
１９  受穴
Ｐ  回動方向
Ｄ  短径
Ｌ，Ｍ，Ｎ  張出部の厚み
Ｋ  従来の手錠と同じ手錠
【図１】
0003167508.tif 000003
【図２】
0003167508.tif 000004
【図３】
0003167508.tif 000005
【図４】
0003167508.tif 000006
【図５】
0003167508.tif 000007
【図６】
0003167508.tif 000008